(57)【要約】【課題】強風にあおられたとしても、広告など所期の効果を達成できるようにする。【解決手段】  広告などの図柄や文字等を現した表示体１７と、この表示体に設けた通し輪１９にさし通すさお部材１と、このさお部材を保持する保持部材２，３と、この保持部材に設けた吸盤４とを備えている。そして、上記吸盤をウィンドウガラス等の平坦な面からなる吸着面５に吸着させて、上記さお部材１を支持する構成にしている。さらに、上記保持部材２，３の周囲外側に突出させるとともに、上記吸着面５に対して平行あるいはほぼ平行に対向配置可能にした複数の吸盤支持棒７と、この吸盤支持棒に取り付けた複数の吸盤４とを備えている。【選択図】  図１
2014089328.tif 000002
【特許請求の範囲】
【請求項１】
広告などの図柄や文字等を現した表示体と、
この表示体に設けた通し輪にさし通すさお部材と、
このさお部材を保持する保持部材と、
この保持部材に設けた吸盤とを備え、
上記吸盤をウィンドウガラス等の平坦な面からなる吸着面に吸着させて、上記さお部材を支持する構成にした表示体の支持装置であって、
上記保持部材の周囲外側に突出させた複数の吸盤支持棒と、
この吸盤支持棒に取り付けた複数の吸盤とを備え
上記各吸盤を上記吸着面に吸着可能にした表示体の支持装置。
【請求項２】
上記吸盤は、一方の面に凹部を形成し、他方の面に凸部を形成する一方、
上記各保持部材の周囲に突出させた吸盤支持棒を、上記吸盤に設けた凸部に挿入するとともに、
上記凸部に吸盤支持棒を挿入させた各吸盤は、吸盤支持棒を軸中心にして回動可能にし、吸盤支持棒に対して吸盤を回動して、上記吸着面に吸盤の上記凹部周囲を平行もしくはほぼ平行に対向可能にした請求項１に記載した表示体の支持装置。
【請求項３】
上記さお部材は、大径棒部とその大径棒部よりも小径にした小径棒部とからなり、小径棒部を大径棒部に挿入して伸縮可能にする一方、
上記保持部材には、大径棒部が挿入される大径穴と、小径棒部が挿入される小径穴とを同一軸線上に対向して設け、
一対の保持部材のうちの一方の保持部材における大径穴に上記大径棒部を挿入可能にし、他方の保持部材における小径穴に小径棒部を挿入可能にした請求項１に記載した表示体の支持装置。
【請求項４】
上記保持部材に、上記さお部材に対してほぼ直角になる通し棒を設ける一方、上記表示体にはさお部材を通す通し輪とは別の通し輪を設け、この通し輪に上記通し棒を通す構成にし、さらに、この通し棒先端には、通し輪が抜けるのを防止するフック部と、このフックの開口を覆う覆い部とを備えた請求項１〜３のいずれか１に記載した表示体の支持装置。
【請求項５】
吸盤に設けた凸部には貫通孔を形成し、この貫通孔に吸盤支持棒を貫通させるとともに、吸盤支持棒の先端に抜け止め用突部を形成した請求項１〜４のいずれか１に記載した表示体の支持装置。
【発明の詳細な説明】
【技術分野】
【０００１】
この発明は、広告などの図柄や文字等を表示して店頭などに掲げる表示体の支持装置に関する。
【背景技術】
【０００２】
この種の支持装置として、特許文献１に記載されたものが従来から知られている。この従来の支持装置は、吸盤に支持部材を設けているが、この支持部材は吸盤の吸着力を発揮する凹部とは反対側の中央に取り付けられている。したがって、一つの支持部材に対して一つの吸盤しか取り付けられない。また、上記支持部材は、さお部材をはさみ持つ構成にしている。
【先行技術文献】
【特許文献】
【０００３】
【特許文献１】特開２００５−２４１６８４号公報
【発明の概要】
【発明が解決しようとする課題】
【０００４】
上記のようにした従来の装置では、一つの支持部材に一つの吸盤しか取り付けられないので、支持装置全体としての吸着力を大きくすることができなかった。
このように吸着力を大きくできなかったので、例えば、強風が吹いたときには、吸盤が吸着面から取れてしまって当該支持装置が風で飛ばされてしまうという問題があった。
【０００５】
また、支持部材は、さお部材を挟み持つ構成になっているので、その支持力も十分大きくできなかった。例えば、支持部材の挟持力を大きくしようとすれば、挟持力を発揮するばねの力を大きくしなければならない。しかし、支持部材はコストを考慮して樹脂製にするのが通常なので、上記ばね力を大きくすれば、支持部材の強度を保つことできなくなる。したがって、上記ばね力を大きくするにも限界があった。
【０００６】
そのために、支持部材の挟持力を十分に保てず、支持部材をさお部材に挟みつけたとしても、支持部材がさお部材から簡単に外されてしまうという問題もあった。
この発明の目的は、吸着面に強固に取り付けられる表示体の支持装置を提供することである。
【課題を解決するための手段】
【０００７】
この発明は、広告などの図柄や文字等を現した表示体と、この表示体に設けた通し輪にさし通すさお部材と、このさお部材の少なくとも一端を保持する少なくとも一対の保持部材と、この保持部材に設けた吸盤とを備え、上記吸盤をウィンドウガラス等の平坦な面からなる吸着面に吸着させて、上記さお部材を支持する構成にした表示体の支持装置を前提にするものである。
【０００８】
そして、第１の発明は、上記保持部材の周囲外側に突出させた複数の吸盤支持棒と、この吸盤支持棒に取り付けた複数の吸盤とを備えた点に特徴を有する。
【０００９】
第２の発明は、上記吸盤の一方の面に凹部を形成し、また吸盤の他方の面に凸部を形成する一方、上記各保持部材の周囲に突出させた吸盤支持棒を、上記吸盤に設けた凸部に挿入するとともに、上記凸部に吸盤支持棒を挿入させた各吸盤は、吸盤支持棒を軸中心にして回動可能にし、吸盤支持棒に対して吸盤を回動して、上記吸着面に吸盤の上記凹部周囲を平行もしくはほぼ平行に対向可能にした点に特徴を有する。
【００１０】
第３の発明は、上記さお部材が、大径棒部とその大径棒部よりも小径にした小径棒部とからなり、小径棒部を大径棒部に挿入して伸縮可能にする一方、上記保持部材には、大径棒部が挿入される大径穴と、小径棒部が挿入される小径穴とを同一軸線上に対向して設け、一対の保持部材のうちの一方の保持部材における大径穴に上記大径棒部を挿入可能にし、他方の保持部材における小径穴に小径棒部を挿入可能にした点に特徴を有する。
【００１１】
第４の発明は、上記保持部材に、上記さお部材に対してほぼ直角になる通し棒を設ける一方、上記表示体にはさお部材を通す通し輪とは別の通し輪を設け、この通し輪に上記通し棒を通す構成にし、さらに、この通し棒先端には、通し輪が抜けるのを防止するフック部と、このフックの開口を覆う覆い部とを備えた点に特徴を有する。
【００１２】
第５の発明は、吸盤に設けた凸部には貫通孔を形成し、この貫通孔に吸盤支持棒を貫通させるとともに、吸盤支持棒の先端に抜け止め用突部を形成した点に特徴を有する。
【発明の効果】
【００１３】
第１の発明によれば、保持部材の周囲外側に複数の吸盤支持棒を設け、これら吸盤支持棒に吸盤を設けたので、一つの保持部材に複数の吸盤を取り付けることができる。したがって、ウィンドウガラスなどの吸着面に対する吸着力を、吸盤が１つの場合よりも相対的に大きくでき、その分、当該支持装置を吸着面に強固に取り付けることができる。このように吸着面に支持装置を強固に取り付けることができるので、例えば、強風などにあおられても、当該装置が飛ばされたりしない。
【００１４】
第２の発明によれば、吸盤支持棒に対して吸盤を回動可能に取りけたので、常に各吸盤を吸着面に正対させることができ、個々の吸盤の吸着力をいかんなく発揮させることができる。
第３の発明によれば、さお部材を伸縮自在に保ちながら、これらさお部材の大径棒部を保持部材の大径穴に挿入し、小径棒部を保持部材の小径穴に挿入して、さお部材をしっかりと止めることができる。
【００１５】
第４の発明によれば、表示体に通し棒を通すことによって、表示体が丸まったりしないし、この通し棒の先端に設けたフック部に通し輪が引っ掛かって抜けたりしない。しかも、このフック部は覆い部で覆っているので、上記通し輪が強風などであおられてフック部から外れたりしない。
第５の発明によれば、吸盤が抜け止め用突部から抜けたりしなくなる。
【図面の簡単な説明】
【００１６】
【図１】当該装置を接着面に取り付けた状態の第１実施形態の側面図である。
【図２】保持部材に吸盤を取り付けた状態の第１実施形態の平面図である。
【図３】保持部材に吸盤を取り付けた状態の第１実施形態の正面図である。
【図４】図２のIV−IV線断面図である。
【図５】図２のV−V線断面図である。
【図６】当該装置を接着面に取り付けた状態の第２実施形態の正面図である
【発明を実施するための形態】
【００１７】
図１〜図５に示した第１実施形態は、さお部材１の両端を一対の保持部材２，３で保持するとともに、これら保持部材２，３に設けた複数の吸盤４を、例えばウィンドウガラス等の平坦な面からなる吸着面５に吸着させることによって、上記さお部材１を支持するものである。
【００１８】
上記さお部材１は、大径棒部１ａと小径棒部１ｂとからなり、この小径棒部１ｂを大径棒部１ａ内に挿入し、さお部材１を伸縮自在にして、その長さを調整できるようにしている。また、大径棒部１ａの先端にチャック部材６を設け、このチャック部材６を締め付けることによって、大径棒部１ａと小径棒部１ｂとの相対長さを固定できるようにしている。
【００１９】
上記保持部材２，３は、図２に示すようにその平面形状を円形にするとともに、図３に示すようにその正面形状をドーム状にしている。
そして、上記保持部材２，３の周囲には、４本の吸盤支持棒７を、保持部材２，３の外側に突出させている。この吸盤支持棒７は、保持部材２，３に固定した根元部分に対してその直径を小さくした吸盤挿入部７ａを形成するとともに、この吸盤挿入部７ａの先端に、上記根元部分とほぼ同径の抜け止め用突部７ｂを設けている。なお、この抜止め用突部７ｂは、先端形状を半円形状にしている。
【００２０】
さらに、図４に示すように、上記保持部材２，３内であって、当該保持部材のほぼ直径線上に筒部材８を設けるとともに、この筒部材８内は、境界壁８ａを境にして、大径穴８ｂと小径穴８ｃとに二分している。上記大径穴８ｂには、上記さお部材１の大径棒部１ａを挿入可能にし、小径穴８ｃには、さお部材１の小径棒部１ｂを挿入可能にしている。
したがって、一対の保持部材２，３は、それらを同一形状にし、必要に応じて保持部材２，３の向きを変えて、さお部材１の大径棒部１ａと小径棒部１ｂとに対応できるようにしている。
【００２１】
上記のようにした保持部材２，３の４本の吸盤支持棒７のそれぞれには、弾性を有する吸盤４を取り付けるが、これら吸盤４は、その一方の面に凹部４ａを形成し、他方の面の中心部分に凸部４ｂを形成している。ただし、これら凹部４ａ及び凸部４ｂを有する吸盤４は、樹脂等で一体成形したものである。
そして、上記凹部４ｂは、それを上記吸着面５に押し付けることによって押しつぶされ、内部が真空状態になって吸着面５に密着する公知のものである。
【００２２】
さらに、吸盤４の凸部４ｂには貫通孔９を形成し、この貫通孔９に吸盤支持棒７を貫通させている。
なお、上記貫通孔９の内径に対して、吸盤支持棒７の抜け止め用突部７ｂの外径を少し大きくしている。
【００２３】
したがって、貫通孔９に吸盤支持棒７を貫通させるためには、上記抜け止め用突部７ｂを貫通孔９に、その孔径を拡大しながら強引に押し込む。このようにして抜け止め用突部７ｂが貫通孔９を貫通した時点で貫通孔９が縮径し、凸部４ｂが吸盤支持棒７から抜けるのを防止できる。ただし、この状態では、凸部４ｂが吸盤挿入部７ａを中心にして回動可能に保たれる。
【００２４】
なお、上記吸盤支持棒７は、それに吸盤４を取り付けたときに、図２に示すように隣り合う吸盤４同士が互いに干渉し合わない角度を保っている。
また、保持部材２，３に取り付けられた４個の吸盤４は、吸盤４を上記吸着面５に軽く押し当てた状態から、保持部材２，３を吸着面５側に強く押し付けることによって、吸盤４の凹部４ａが押しつぶされて吸着面５に密着するものである。
そして、吸盤４が押しつぶされて吸着面５に密着した状態においても、隣り合う吸盤４同士が互いに干渉し合わないようにしている。
【００２５】
なお、図２及び図５に示した符号１０は、保持部材２，３を貫通する４個のネジ通し孔で、吸着面５の表面が粗く、吸盤４が十分に吸着させられない状況にあるとき、吸盤４と図示していないネジとを併用できるようにしている。
【００２６】
上記一方の保持部材２の外側面中央すなわちドーム形状の頂点部分に、一対のヒンジ片１１を設け、このヒンジ片１１間に通し棒１２の一端を挿入するとともに、これらヒンジ片１１と通し棒１２に蝶ネジ１３を通している。したがって、保持部材２に対して通し棒１２の角度位置を自由に決められるとともに、特定の角度位置において、蝶ネジ１３を締め付けることによって、通し棒１２の角度位置を固定することができる。
【００２７】
上記のようにした通し棒１２の先端には、図１に示すように、フック部１４を形成するとともに、このフック部１４の開口部分を覆う覆い部１５を形成している。ただし、この覆い部１５は、フック部１４との間で間隔１６を保持し、フック部１４の鉤形状先端の向きとは反対方向から上記間隔１６を通って、後で説明する表示体１７の通し輪１８を、フック部１４内に滑り込ませられるようにしている。
【００２８】
上記のようにしたさお部材１及び通し棒１２には、表示体１７の通し輪１８及び１９を通して、表示体１７を保持するようにしている。
そして、表示体１７は、例えば広告用の図柄や文字等を表示して、広告効果を発揮させるもので、布等からなるものである。
このようにした表示体１７には、さお部材１に沿う側の縁に複数の通し輪１９を設け、通し棒１２に沿う側の縁に上記通し輪１９とは別の複数の通し輪１８を設けている。
【００２９】
そして、さお部材１を保持部材２，３に保持させる前に、先ず、表示体１７の大きさに合わせて、さお部材１の長さをあらかじめ設定する。このようにさお部材１の長さを設定したら、表示体１７の一方の通し輪１９にさお部材１を通す。また、上記通し棒１２には、表示体１７に設けた他方の通し輪１８を通すとともに、通し棒１２の先端側に位置する通し輪１８は、間隔１６を通してフック部１４内に滑り込ませる。
【００３０】
このようにしてから、上記さお部材１の両端を保持部材２，３に保持させるが、このときにはさお部材１の大径棒部１ａを一方の保持部材２に設けた筒部材８の大径穴８ｂに挿入し、小径棒部１ｂを他方の保持部材３に設けた筒部材８の小径穴８ｃに挿入する。
【００３１】
上記のようにさお部材１及び通し棒１２のそれぞれに、表示体１７の通し輪１８，１９を通すとともに、さお部材１の両端に保持部材２，３を組み付けたら、その組み付け状態を保ったまま、保持部材２，３に取り付けた複数の吸盤４を、ウィンドウガラス等の吸着面５に軽く押し当てる。この状態から、保持部材２，３を吸着面５に強く押し付ければ、吸盤４が吸着面５に吸着してさお部材１がしっかりと支持される。
【００３２】
上記した第１実施形態によれば、保持部材２，３の周囲外側に吸盤支持棒７を設けたので、当該吸盤支持棒７をほぼ放射状に複数突出させることができる。吸盤支持棒７を保持部材２，３の外側に複数突出させられるので、保持部材２，３のそれぞれに、４つの吸盤４を取り付けられる。このように保持部材２，３のそれぞれに複数の吸盤４を取り付けられるので、保持部材２，３に吸着力を大きく作用さることができる。
【００３３】
保持部材２，３に作用する吸着力を大きくできるので、強風にあおられて表示体１７が強くはためいたとしても、さお部材１が吸着面５から外されて、表示体１７が吹き飛ばされたりしない。
また、吸盤４が吸盤支持棒７に対して回動可能に設けているので、吸盤４を吸着面５に常に正対させることができる。このように保持部材２，３に設けたすべての吸盤４を、吸着面５に正対させられるので、吸盤４を吸着面５に強固に吸着させることができる。したがって、保持部材２，３に対していっそう大きな吸着力を作用させることができる。
【００３４】
さらに、上記さお部材１は伸縮可能であり、しかも、チャック部材６で所望の長さを維持できるとともに、その所望の長さを維持しながら、当該さお部材１を保持部材２，３で保持できるので、さお部材１の最大長さ範囲であれば、どのような大きさの表示体１７にも対応できる。
また、保持部材２，３に設けた筒部材８には、大径穴８ｂと小径穴８ｃとを同一軸線上に対向配置しているので、保持部材２，３の向きを変えるだけで、さお部材１の大径棒部１ａ及び小径棒部１ｂのいずれも支持することができる。
【００３５】
さらに、上記吸盤支持棒７は、その先端に抜け止め用突部７ｂを設けているので、たとえ表示体１７が強風にあおられても、吸盤４が吸盤支持棒７から脱落したりせず、表示体１７の所期の目的を発揮させることができる。
また、上記通し棒１２の先端にフック部１４を設けるとともに、このフック部１４を覆い部１５で覆ったので、このフック部１４に通し輪１８を引っ掛けておけば、たとえ、強風にあおられても、通し輪１８が通し棒１２から抜けてしまうことがない。
【００３６】
しかも、上記覆い部１５は、フック部１４の開口と対向する側を閉じているので、このフック部１４に挿入した通し輪１８が、通し棒１２の根元側に移動しない。したがって、表示体１７が強風にあおられても、この表示体１７が折りたたまれるような状態になって、表示体１７に表現された図柄や文字が見えにくくなったりしない。
【００３７】
図６に示した第２実施形態は、２本のさお部材２０，２１を平行に配置し、それらの間に表示体１７を設けたのもので、個々の部品の構成は、第１実施形態と同じである。ただし、この第２実施形態では、第１実施形態における通し棒１２を必要としないのは当然である。
上記のように個々の部品は、第１実施形態と同じなので、さお部材２０，２１以外で、第１実施形態と同一の構成要素については、同一符号を付して、その詳細を省略する。
【００３８】
この第２実施形態では、さお部材２０，２１に沿う側の縁に複数の通し輪１９を設け、これら通し輪１９に上記さお部材２０，２１に通して、表示体１７を例えば横断幕などとして使用することができる。
そして、この第２実施形態においても、さお部材２０，２１が吸着面５に強固に取り付けられることになる。
【産業上の利用可能性】
【００３９】
広告用ののぼりの支持装置などに最適である。
【符号の説明】
【００４０】
１        さお部材
１ａ      大径棒部
１ｂ      小径棒部
２，３      保持部材
４        吸盤
４ａ      凹部
４ｂ      凸部
５        吸着面
７        吸着支持棒
７ｂ      抜け止め用突部
８ｂ      大径穴
８ｃ      小径穴
９        貫通孔
１２        通し棒
１４        フック部
１５        覆い部
１７        表示体
１８        通し輪
１９        通し輪
２０，２１  さお部材
【図１】
2014089328.tif 000003
【図２】
2014089328.tif 000004
【図３】
2014089328.tif 000005
【図４】
2014089328.tif 000006
【図５】
2014089328.tif 000007
【図６】
2014089328.tif 000008